(57)【要約】    【課題】  リレーの交換を容易にした昇降装置およびこれを備えた照明装置を提供する。    【解決手段】  昇降装置MLは、吊下げ用索条11、吊下げ用索条を巻取り／巻戻す巻取ドラム12および巻取ドラムを回転駆動するモータ13を含む駆動機構D、この駆動機構を下面に配設するとともに上面に開口するリレー交換用開口14を有する基板B、ならびに駆動機構を包囲するとともに基板に固定されたケースCを備えた昇降装置本体1と、昇降装置本体の基板のリレー交換用開口に対向して基板に配設されたリレー基板21およびリレー基板に取り付けられてリレーR1、R2を装着するリレーソケット22を備えたリレー取付機構2と、吊下げ用索条に吊下げられて昇降装置本体に対して昇降するとともに被昇降機器を支持する昇降体5とを具備している。【選択図】図２
2011105458.tif 000002
【特許請求の範囲】
【請求項１】
吊下げ用索条、吊下げ用索条を巻取り／巻戻す巻取ドラムおよび巻取ドラムを回転駆動するモータを含む駆動機構、この駆動機構を下面に配設するとともに上面に開口するリレー交換用開口を有する基板、ならびに駆動機構を包囲するとともに基板に固定されたケースを備えた昇降装置本体と；
リレーによりモータを正逆転切り換え可能に駆動するモータ駆動回路と；
昇降装置本体の基板のリレー交換用開口に対向して基板に配設されたリレー基板およびリレー基板に取り付けられてリレーを装着するリレーソケットを備えたリレー取付機構と；
吊下げ用索条に吊下げられて昇降装置本体に対して昇降するとともに被昇降機器を支持する昇降体と；
を具備していることを特徴とする昇降装置。
【請求項２】
昇降装置本体は、基板のリレー交換用開口を着脱可能に閉塞するリレー交換用蓋板を具備していることを特徴とする請求項１記載の昇降装置。
【請求項３】
請求項１または２記載の昇降装置と；
昇降装置の昇降体に支持される照明器具と；
を具備していることを特徴とする照明装置。
【発明の詳細な説明】
【技術分野】
【０００１】
本発明は、高天井などの建物の高所に設置した照明器具などの被昇降機器などを、そのメンテナンスなどのために床面側へ降下させ、事後再び高所の所定位置に戻すのに用いる昇降装置およびこれを備えた照明装置に関する。
【背景技術】
【０００２】
この種の昇降装置は、例えば図８に示すように、高所側に固定して配置された昇降装置本体２２と、この本体２２からワイヤロープ２３によって垂下して昇降する昇降体２７とを具備し、昇降体２７に被昇降体である照明器具１２などを支持させて、昇降装置本体２２に配設されたモータ２５を駆動させることで昇降体２７を昇降させるように構成されている（特許文献１参照。）。この種の昇降装置は、リレーを用いてモータ２５の駆動回路を切り換えることにより、モータ２５の回転方向を正逆転切り換えて昇降体２７を降下させたり、上昇させたりする。上記リレーは、操作用基板に組み込まれて昇降装置本体２２の内部に配置されている。
【０００３】
上述の昇降装置は、可動部を含むためメンテナンスが欠かせない。リレーが不具合になったときにはリレーを交換するメンテナンスを行う。
【先行技術文献】
【特許文献】
【０００４】
【特許文献１】特開２００５−０３５７５８号公報
【発明の概要】
【発明が解決しようとする課題】
【０００５】
従来の昇降装置においては、上記リレーを交換するメンテナンスの場合、昇降装置を高所から取り外して床面へ下ろし、次に昇降装置本体のケースを外して、その内部を露出させてから、リレーを装着している操作基板の全体を昇降装置本体から取り外し、別に用意した新しい操作基板と交換する必要があった。このため、メンテナンス作業が非常に煩雑であるとともに、交換部品が高価となり、しかも短時間のうちにメンテナンスを終了させるのが困難であった。
【０００６】
本発明は、リレーの交換を容易にした昇降装置およびこれを備えた照明装置を提供することを課題とする。
【課題を解決するための手段】
【０００７】
上記の課題を解決するために、本発明の昇降装置は、吊下げ用索条、吊下げ用索条を巻取り／巻戻す巻取ドラムおよび巻取ドラムを回転駆動するモータを含む駆動機構、この駆動機構を下面に配設するとともに上面に開口するリレー交換用開口を有する基板、ならびに駆動機構を包囲するとともに基板に固定されたケースを備えた昇降装置本体と；昇降装置本体の基板のリレー交換用開口に対向して基板に配設されたリレー基板およびリレー基板に取り付けられてリレーを装着するリレーソケットを備えたリレー取付機構と；吊下げ用索条に吊下げられて昇降装置本体に対して昇降するとともに被昇降機器を支持する昇降体と；を具備していることを特徴としている。
【０００８】
本発明において、リレーを交換するには、基板の上面側からリレー交換用蓋板を取り外し、リレー交換用開口を経由してリレー取付機構のリレーソケットからリレーを抜き取り、交換用のリレーをリレーソケットに装着する。その後、リレー交換用蓋板を取り付けてリレー交換用開口を閉鎖して昇降装置を元の取付位置に戻せばよい。このため、本発明においては、昇降装置本体の取付装置が、昇降装置本体を傾斜させることが可能に構成されていれば、所望により昇降装置を高所に取り付けたままの状態でリレーを交換することができる。もちろん、昇降装置を高所から取り外して床面に置き、基板を好ましくは上側にした状態でリレー交換を行うことができ、この場合においてもリレー交換作業が極めて容易になる。
【０００９】
本発明の昇降装置の好ましい態様は、次のとおりである。なお、各態様の一または複数を所望により組み合わせて採用することができる。
【００１０】
１．昇降装置本体は、その基板のリレー交換用開口を着脱可能に閉塞するリレー交換用蓋板を具備している。これにより、非交換時の外観が向上するとともに、不用意に塵埃などが昇降装置本体内に進入するのを阻止でき、塵埃などが進入して誤動作に対するリスクが高くならないようにできる。
２．昇降装置本体に対するリレーの配設位置が電源端子盤に隣接している。この位置であると、配線取り回しが比較的容易になるとともに、駆動機構を回避しながらリレーを配置するスペースを確保しやすい。
３．電源線接続作業を容易にするために、ケースを取り外したときに、電源端子が外面側を向いて位置するように、電源線接続端子を備えた電源端子盤がケースの内面に近接した位置に配置されている。そして、リレーは、電源端子盤の背面側に隣接した位置に配設される。この構成であると、電源端子盤の背面がリレーの保護壁としても機能し、リレーの保護に寄与する。
４．リレー取付機構のリレー基板が、昇降装置本体の基板のリレー交換用開口を基板の内面側から跨ぐように基板の内面に配設されている。そして、リレーソケットは、リレー基板のリレー交換用開口に離間して対面する位置に取り付けられている。この構成であると、リレー交換用開口を経由してリレーをリレーソケットに対して挿脱しやすい位置に配置するのが容易になると同時に、リレーの周囲をリレー基板、リレー交換用蓋板および昇降装置本体の基板が包囲するので、リレーの機械的保護になる。さらに、上記２．の態様と組み合わせることにより、上記保護がより一層強化される。
５．昇降装置本体を高所に取り付ける際の取付装置を、昇降装置本体を傾斜状態にさせることが可能なように構成する。例えば、上記取付装置が昇降装置本体の両端をそれぞれ固着するように一対からなり、その一方が昇降装置本体の一端を引っ掛けて、かつ回動可能に軸支する。そして、他方が昇降装置本体の他端を、上記一端を回転中心とする円弧に沿って回動させ、かつ所望の回動位置で固定可能にする。したがって、本態様においては、既知の傾斜天井用取付装置を流用することができる。
【００１１】
本発明の照明装置は、本発明の昇降装置と；昇降装置の昇降体に支持される照明器具と；を具備していることを特徴としている。
【００１２】
本発明の照明装置は、高天井など建物の高所に設置されて広範囲の空間を照明するのに好適であり、照明器具が昇降装置の昇降体に支持されているので、照明器具のメンテナンスのために高所から下降させ、床面において例えばランプ交換などを行うことができる。本発明において、照明器具は、特定の用途および構成に限定されない。使用する光源も特定の構成に限定されない。例えば、高圧放電ランプ、蛍光ランプ、ＬＥＤおよび有機ＥＬなどを適宜選択可能である。
【発明の効果】
【００１３】
本発明は、下面に駆動機構を配設した基板に、上面に開口するリレー交換用開口を設け、この開口に対向して昇降装置本体の内部に、リレーソケットを介してモータ駆動回路のリレーを配設したことにより、簡単な構造でリレーの交換を基板の裏側から行えるので、メンテナンスが容易になり、所望により昇降装置を高所から取り外すことなくメンテナンスを行うことも可能になる昇降装置およびこれを備えた照明装置を提供することができる。
【図面の簡単な説明】
【００１４】
【図１】本発明の昇降装置を実施するための第１の形態を示すケースを取り外した状態の要部透視正面図である。
【図２】同じくケースを取り外した状態の要部透視底面図である。
【図３】同じくケースを取り外した状態の要部透視左側面図である。
【図４】同じく要部透視平面図である。
【図５】同じく取付装置を含む分解斜視図である。
【図６】同じくモータ駆動回路を示す回路図である。
【図７】同じく昇降装置の使用状態およびメンテナンス時の状態の一例を説明する略図である。
【図８】従来の昇降装置の昇降状態を示す斜視図である。
【発明を実施するための形態】
【００１５】
以下、本発明の実施の一形態について、図１ないし図７を参照して詳細に説明する。
【００１６】
本形態において、昇降装置ＭＬは、昇降装置本体１、リレー取付機構２、モータ駆動回路３、リレー交換用蓋板４および昇降体５を具備し、取付装置Ｉ１、Ｉ２（図５および図７を参照。）を介して高天井など建物の高所に設置される。
【００１７】
最初に、昇降装置本体１について説明する。
【００１８】
昇降装置本体１は、駆動機構Ｄ、基板Ｂ、電源端子盤ＥおよびケースＣを備えている。以下、さらに詳しく説明する。
【００１９】
駆動機構Ｄは、後述する昇降体５を駆動するための機構であり、吊下げ用索条１１、巻取ドラム１２およびモータ１３などを含んでいる。
【００２０】
吊下げ用索条１１は、後述する昇降体５を吊り下げるとともに、後述する巻取ドラム１２にこれを巻き取り／巻き戻すことにより、昇降体５を昇降させる手段である。吊下げ用索条１１の素材や形態は特段限定されないが、例えばワイヤ、金属製帯状体または高耐久性合成繊維製索条などを用いることができる。また、昇降体５を安定に吊り下げるために、例えば２点吊りなど多点吊りを行うのが好ましい。
【００２１】
巻取ドラム１２は、吊下げ用索条１１を巻き取り／巻き戻すための手段である。吊下げ用索条１１を巻き取る態様として一端巻き取り、両端巻き取りのいずれであってもよいが、図示の形態においては一端巻き取りとして吊り下げ許容荷重を大きくしている。なお、一端巻き取りの場合には、１個の巻取ドラム１２が用いられるが、両端巻き取りの場合には２個の巻取ドラム１２が用いられる。
【００２２】
本形態において採用している一端巻き取りの態様においては、吊下げ用索条１１の一端部を昇降装置本体１内に固定し、昇降体５に一対のプーリー５ｃ、５ｃ（図３の位置において、実際には支持枠の裏に配置されていて見えないが、透視した状態で示している。）を離間して配設し、吊下げ用索条１１の中間部を上記一対のプーリー５ｃ、５ｃに懸架して昇降体５を吊下げ用索条１１に支持させて吊り下げ、昇降装置本体１に配設した図３に示すプーリーｐを経由して巻取ドラム１２で吊下げ用索条１１の他端部を巻取り／巻戻すことで昇降体５が昇降するように構成している。
【００２３】
モータ１３は、巻取ドラム１２を回転させるための駆動動力を提供する手段であり、本形態においては単相コンデンサモータを用いている。なお、モータ１３は、図１に示すように減速機構１３ａを備えていることが許容される。
【００２４】
また、駆動機構Ｄは、以上説明した機構要素の他に、詳細な説明を省略するが、昇降体５のロック機構、昇降体の昇降に伴って昇降装置本体１と昇降体３との間を接離する負荷回路の接点機構および安全機構の一部としての後述するリミットスイッチなどを含んでいる。
【００２５】
基板Ｂは、その下面に以上説明の駆動機構Ｄを機能的に配設するとともに後述するケースＣを外周部で支持し、また上面に開口するリレー交換用開口１４を有している。リレー交換用開口１４は、昇降体５の吊り下げ位置を挟んでモータ１３と向かい合った比較的スペースに余裕のある位置で、しかも後述する電源端子盤Ｅの背面側に隣接して位置している。
【００２６】
また、基板Ｂは、特に図１および図３に示すように、昇降装置本体１を高所に取り付ける際の取付部１５を提供することができる。すなわち、本形態において、取付部１５は、基板Ｂの長手方向の両側縁部を上方へ屈曲させて一対の起立縁１５ａ、１５ａを形成するとともに、その両端部にボルト挿通孔を形成し、かつ一対の起立縁１５ａの内面側にボルト挿通孔に中心軸が一致したナット１５ｂを溶接することによってねじ孔を形成し、このねじ孔にボルト１５ｃ、１５ｃをねじ込むように構成されている。なお、図５に示すように建物の高所の予定位置に予め後述する取付装置Ｉ１、Ｉ２を設置し、その取付装置Ｉ１、Ｉ２にそれぞれ形成した係止部３１ａおよび案内溝部３６ａを経由して基板Ｂのナット１５ｂのねじ孔１５ｂにボルト１５ｃをねじ込むことにより、昇降装置ＭＬを高所に取り付けることができる。
【００２７】
さらに、基板Ｂには、図４に示すように、後述する電源端子盤Ｅの端子台Ｔｂに対向して通線孔１６を備えている。なお、通線孔１６には、絶縁ブッシング１６ａが装着されている。
【００２８】
さらにまた、基板Ｂには、図３に示すように、その両端部を下側へ屈曲させて垂下片１７を形成し、この垂下片１７にねじ孔１７ａを形成している。このねじ孔１７ａは、後述するケースＣを固定するのに用いられる。
【００２９】
電源端子盤Ｅは、図１および図２に示すように、基板Ｂの左端部の下面から垂下した端子盤体１８に端子台Ｔａ、Ｔｂがそれぞれ装着されることによって構成されている。端子台Ｔａは、後述するモータ駆動回路に電源線を接続するための手段である。
【００３０】
ケースＣは、図５に示すように、昇降装置本体１の基板Ｂの垂下片１７のねじ孔１７ａを用いてビス（図示しない。）で固定され、駆動機構Ｄの上部部分を包囲している。そして、上面が開放された箱体状をなしていて、その一対の端面の上部にねじ挿通孔１９ａが形成されている。そして、また、ケースＣの下面には昇降体挿通孔１９ｂが形成され、そこに吊下げ用索条１１が出入するとともに、昇降体５が上昇位置にあるときにはその一部が昇降体挿通孔１９ｂを挿通してケースＣ内に収納される。また、電源端子盤Ｅに対向する左端面には配線作業用の開閉扉１９ｃが形成されている。開閉扉１９ｃを開放すれば、ケースＣを基台Ｂから取り外すことなしに端子台Ｔａ、Ｔｂに対する電源線の接続作業を行うことができる。
【００３１】
次に、図１ないし図４を参照してリレー取付機構２について説明する。
【００３２】
リレー取付機構２は、後述するモータ駆動回路３のリレーＲ１およびＲ２を昇降装置本体１の内部に着脱自在に装着するための手段である。そして、図１ないし図４には透視図法を用いてリレー取付機構２が示されているが、このリレー取付機構２は、リレー基板２１および一対のリレーソケット２２、２２を備えて構成されている。
【００３３】
リレー基板２１は、金属板をＵ字状（コ字状）に屈曲させて形成されていて、底面部２１ａ、脚片部２１ｂ、２１ｂおよび取付片部２１ｃ、２１ｃを有している。すなわち、水平に延在している底面部２１ａの両端から一対の脚片部２１ｂ、２１ｂが垂直に立ち上がり、脚片部２１ｂの上端から取付片部２１ｃが水平方向の外側へ延在している。そして、一対の取付片部２１ｃ、２１ｃが基板Ｂのリレー交換用開口１４の内面にビスｓで固着されることにより、底面部２１ａが基板Ｂのリレー交換用開口２１の内部において当該開口２１に離間対向してリレー収容空間を形成している。
【００３４】
一対のリレーソケット２２、２２は、リレー基板２１の底面部２１ａに互いに隣接して取り付けられていて、リレーＲ１およびＲ２を支持するとともに、モータ駆動回路３の接続位置に簡単に挿脱する手段である。
【００３５】
次に、モータ駆動回路３について説明する。
【００３６】
モータ駆動回路３は、昇降体５を昇降するために、駆動機構Ｄのモータ１３を正逆転させる回路手段であり、本形態においては図５に示すように構成されている。すなわち、モータ１３は、前述のように単相コンデンサモータであり、３本の導線が導出され、そのうち導線「コモン」が端子台Ｔａの端子「共通（白）」に線路ｌｃを経由して接続している。そして、導線「下」と「上」との間にコンデンサＣ１が接続している。なお、図示を省略しているが、モータ１３の内部においては、導線「コモン」と導線「下」との間に一方の界磁巻線が、また導線「コモン」と導線「上」との間に他方の界磁巻線が、それぞれ電機子に対して位相が異なる位置に配設されている。
【００３７】
また、上記導線「下」は、常開形のリミットスイッチＬ３−２および常閉形のリミットスイッチＬ３−１、リレーＲ２の常開接点Ｒ２−１、線路ｌｄおよびリレーＲ１の切換接点Ｒ１−１を図示のように直列に介して端子台Ｔａの端子「下降（赤）」および端子「上昇（黒）」にそれぞれ接続している。すなわち、リレーＲ１の切換接点Ｒ１−１の常閉側の固定接点は、端子台Ｔａの端子「下降（赤）」に接続し、同じく切換接点Ｒ１−１の常開側の固定接点は、端子台Ｔａの端子「上昇（黒）」に接続している。
【００３８】
一方、上記導線「上」は、常閉形のリミットスイッチＬ４およびリレーＲ２の常閉接点Ｒ２−２の直列回路に接続するとともに、この直列回路が、導線「下」の上記接続回路のうちの常開形のリミットスイッチＬ３−２、常閉形のリミットスイッチＬ３−１およびリレーＲ２の常開接点Ｒ２−１の直列回路に対して並列接続している。
【００３９】
リレーＲ１は、端子台Ｔａの端子「共通（白）」と端子「上昇（黒）」との間に接続している。また、リレーＲ２は、リレーＲ１の切換接点Ｒ１−２を介して常閉形のリミットスイッチＬ２と同じく常閉形のリミットスイッチＬ１との並列回路を介して図示のように線路ｌｃと線路ｌｄとの間に接続している。
【００４０】
モータ駆動回路３に接続している上記各リミットスイッチは、図６中の表に示すようにマイクロスイッチが用いられ、それぞれ記載されているとおりの駆動機構Ｄの保護動作を担当している。なお、上記各リミットスイッチは、図１および図３にその配設位置が図６中の表におけるのと同じ記号を付して示されている。
【００４１】
モータ１３を駆動する電源である図示しない単相交流電源の一極を、電源端子盤Ｅの端子台Ｔａの端子「共通（白）」に接続し、他極を、建物の壁面などに配置した図示を省略している切り換え形の操作スイッチを介して端子「上昇（黒）」と端子「下降（赤）」に接続する。
【００４２】
そうして、操作スイッチを上記交流電源の他極が「下降」側に接続するように操作すると、リレーＲ１は付勢されないため、その切換接点Ｒ１−１およびＲ１−２が図示の接続状態を維持する。これに対して、上記操作によりリレーＲ２が付勢される。この付勢により、常開側の固定接点Ｒ２−１が閉成し、また昇降体５を吊り下げているため、吊下げ用索条１１が緊張しているから、リミットスイッチＬ３−２が閉成しているので、モータ１３が正転して昇降体５が下降する。
【００４３】
次に、操作スイッチを「上昇」側に操作すると、最初にリレーＲ１が付勢されて切換接点Ｒ１−１およびＲ１−２の可動接点が、それぞれ図において常開側の固定接点に接触するので、リレーＲ２は付勢されない。その結果、リレーＲ２の常開形の接点Ｒ２−１が開放状態を維持し、常閉形の接点Ｒ２−２が閉成状態を維持するので、モータ１３が逆転して昇降体５が上昇する。
【００４４】
次に、リレー交換用蓋板４について説明する。
【００４５】
リレー交換用蓋板４は、図４に示すように、基板Ｂのリレー交換用開口１４を着脱自在に閉塞する手段であるが、所望により具備される。しかし、リレー交換用蓋板４を具備しない構成を採用することもできる。
【００４６】
本形態において、リレー交換用蓋板４は、その周囲がリレー交換用開口１４より大きく、かつ形状がリレー交換用開口１４とほぼ相似形であり、基板Ｂの上面に載置されてリレー交換用開口１４を跨いでいるとともに、長手方向の両端部に一対のだるま孔４ａが形成されている。
【００４７】
一方、基板Ｂにはリレー交換用蓋板４のだるま孔４ａに対向した位置にねじ孔ｈ１４ａが形成されている。そして、図示していないボルトを上記ねじ孔１４ａにねじ込むことにより、だるま孔４ａの小径部を基板Ｂとボルトの頭部との間でリレー交換用蓋板４を挟持して基板Ｂに固定する。したがって、リレーＲ１、Ｒ２を点検したり、交換したりメンテナンスを行う場合には、基板Ｂの背面側において、上記ボルトを緩めてリレー交換用蓋板４を基板Ｂの板面に沿ってその幅方向へ少し移動させて、ボルトの頭部をだるま孔１４ａの大径部に対向させれば、リレー交換用蓋板４を取り外すことができる。なお、取り付ける際には、上記と逆の手順で行えばよい。
【００４８】
次に、昇降体５について説明する。
【００４９】
昇降体５は、吊下げ用索条１１に前述のように支持される。そして、吊下げ用索条１１を昇降装置本体１側において巻取り／巻戻すことにより、昇降装置本体１に対して昇降動作を行う。また、昇降体５は、図１ないし図４に示すように、昇降体本体５ａ、被昇降機器取付部５ｂおよび一対のプーリー５ｃ、５ｃ（図１参照。）を少なくとも備えている。また、所望により昇降部側接点およびロック機構（いずれも図示しない。）などを適宜備えることができる。
【００５０】
ロック機構は、例えば図示しない昇降体５にロック爪を、昇降装置本体にロック爪が係合する係合段部を、それぞれ配設して構成されている。そうして、昇降体本体５ａは、所定位置まで上昇した状態において、ロック機構によりロックされる。
【００５１】
被昇降機器取付部５ｂは、後述する被昇降機器（図示しない。）を取り付けるのに用いることができる手段である。
最後に、図５および図７を参照して取付装置Ｉ１、Ｉ２について説明する。この取付装置Ｉ１、Ｉ２は、傾斜天井に対して昇降装置ＭＬを水平に取り付けるために用意された既知のものである。本形態においては、これを昇降装置ＭＬを高所に取り付けられた状態のまま傾斜状態にさせることによって、リレーＲ１、Ｒ２をメンテナンス可能にするために利用している。
【００５２】
取付装置Ｉ１は、図５に示すように、昇降装置ＭＬの一端部を回動中心となるように支持する。そのために、帯状の金属板をコ字状に屈曲して、取付片部３１、取付片部３１の両端から垂下する一対の短脚片部３２を形成し、短脚片部３２にその一側辺側に開口する切欠溝状の係止部３１ａが形成されている。そして、取付片部３１を建物の高所に取り付ける。
【００５３】
取付装置Ｉ２は、図５に示すように、昇降装置ＭＬの他端部を取付装置Ｉ１の係止部３１ａを回動中心として円弧状に回動可能なように支持する。そのために、帯状の金属板をコ字状に屈曲して、取付片部３５、取付片部３５の両端から垂下する一対の長脚片部３６、３６を形成し、長脚片部３６に円弧状の案内溝部３６ａが形成されている。そして、取付片部３５を取付装置Ｉ１と昇降装置ＭＬの長さに応じた所定距離を隔てて対向させて建物の高所に取り付ける。
【００５４】
次に、図７を参照して取付装置Ｉ１、Ｉ２の使用態様を説明する。図７（ａ）は昇降装置ＭＬの通常の使用状態を示し、図７（ｂ）はリレーのメンテナンスのための同じく傾斜状態を示している。
【００５５】
予め高所の所定位置に互いに所定間隔で取付装置Ｉ１、Ｉ２を取り付けておき、また昇降装置ＭＬにおいては、その基台Ｂの一端側の取付部１５のボルト１５ｃを予め緩めておくとともに、他端側のボルト１５ｃを予め取り外しておく。そして、昇降装置ＭＬの一端側のボルト１５ｃを取付装置Ｉ１の係止部３２ａに係合させ、次に昇降装置ＭＬの他端側を回動させて取付装置Ｉ２の案内溝部３６ａに対向する位置にて、外しておいた他端側のボルト１５ｃを、案内溝部３６ａを経由してナット１５ｂのねじ孔にねじ込み、かつ締め付けて固定する。また、取付装置Ｉ１のボルト１５ｃも締め付けて固定する。これにより、昇降装置ＭＬを図７（ａ）に示す使用位置に取り付けることができる。
【００５６】
次に、リレーのメンテナンスを行う際には、上記両端側のボルト１５ｃを緩めて昇降装置ＭＬを図７（ｂ）の位置まで傾斜させてからボルト１５ｃを再び締め付けて固定する。その後、昇降装置本体１の基板Ｂの上面に取り付けたリレー交換用蓋板４を外してリレー交換用開口１４を露出させることができ、リレーＲ１、Ｒ２のメンテナンスを行うことができる。このように、リレーＲ１、Ｒ２を交換する作業において、昇降装置全体を高天井などの高所の設置場所から取り外してから、昇降装置本体１のケースＣを外すなどの手間を省けるため、作業効率が向上する。さらに、昇降装置本体１の基板Ｂの上面に形成されたリレー交換用開口１４を閉塞するリレー交換用蓋板４を備えていることにより、リレー交換用開口１４から塵埃がリレーＲ１、Ｒ２の周囲へ進入するのを阻止できる。
【符号の説明】
【００５７】
１…昇降装置本体、２…リレー取付機構、３…モータ駆動回路、４…リレー交換用蓋板、４ａ…だるま孔、５…昇降体、５ａ…昇降体本体、５ｂ…被昇降機器取付部、５ｃ…プーリー、１１…吊下げ用索条、１２…巻取ドラム、１３…モータ、１３ａ…減速機構、１４…リレー交換用開口、１５…取付部、１５ａ…起立縁、１５ｂ…ナット、１５ｃ…ボルト、１６…通線孔１６、１６ａ…絶縁ブッシング、１７…垂下片、１７ａ…ねじ孔、１８…端子盤体、１９ａ…ねじ挿通孔、１９ｂ…昇降体挿通孔、１９ｃ…開閉扉、２１…リレー基板、２１ａ…底面部、２１ｂ…脚片部、２１ｃ…取付片部、２２…リレーソケット、３１…取付片部、３２…短脚片部、３２ａ…係止部、３５…取付片部、３６…長脚片部、３６ａ案内溝部、Ｂ…基板、Ｃ…ケース、Ｄ…駆動機構、Ｅ…電源端子盤、Ｉ１、Ｉ２…取付装置、Ｌ１、Ｌ２、Ｌ３−１、Ｌ３−２、Ｌ４…リミットスイッチ、ＭＬ…昇降装置、ｐ…プーリー、Ｒ１、Ｒ２…リレー、ｓ…ビス、Ｔａ、Ｔｂ…端子台
【図１】
2011105458.tif 000003
【図２】
2011105458.tif 000004
【図３】
2011105458.tif 000005
【図４】
2011105458.tif 000006
【図５】
2011105458.tif 000007
【図６】
2011105458.tif 000008
【図７】
2011105458.tif 000009
【図８】
2011105458.tif 000010